(57)【要約】      （修正有）【課題】解析統計万年暦に基づいて各自の毎日の運命が分かる運勢カレンダーを提供する。【解決手段】使うことを控えたい数字と使うことが好ましい数字を統計学的に定めた解析統計万年暦が表記され、そして、各日ごとに西暦判断数又は元号判断数が上記解析統計万年暦に基づいてラッキーナンバー（開運招福数）に相当する太陽マーク１１、準ラッキーナンバー（準開運招福数）に相当する曇りマーク３、アンラッキーナンバー（厄難災難数）に相当する雨マーク４などを記入するスペース２，１０を設けている。【選択図】図４
0003203619.tif 000002
【実用新案登録請求の範囲】
【請求項１】
カレンダー、カレンダーを載せた手帳、又はカレンダーを表示することが出来るスマートフォーンにおいて、使うことを控えたい数字と使うことが好ましい数字を統計学的に定めた解析統計万年暦が表記され、そして、各日ごとの西暦判断数が上記解析統計万年暦を基にしてラッキーナンバー（開運招福数）に相当する太陽マーク、準ラッキーナンバー（準開運招福数）に相当する曇りマーク、アンラッキーナンバー（厄難災難数）に相当する雨マークなどを記入するスペースを設けたことを特徴とする運勢カレンダー。
【請求項２】
カレンダー、カレンダーを載せた手帳、又はカレンダーを表示することが出来るスマートフォーンにおいて、使うことを控えたい数字と使うことが好ましい数字を統計学的に定めた解析統計万年暦が表記され、そして、各日ごとに元号判断数が上記解析統計万年暦を基にしてラッキーナンバー（開運招福数）に相当する太陽マーク、準ラッキーナンバー（準開運招福数）に相当する曇りマーク、アンラッキーナンバー（厄難災難数）に相当する雨マークなどを記入するスペースを設けたことを特徴とする運勢カレンダー。
【請求項３】
カレンダー、カレンダーを載せた手帳、又はカレンダーを表示することが出来るスマートフォーンにおいて、使うことを控えたい数字と使うことが好ましい数字を統計学的に定めた解析統計万年暦が表記され、そして、各日ごとに西暦判断数及び元号判断数が上記解析統計万年暦を基にしてラッキーナンバー（開運招福数）に相当する太陽マーク、準ラッキーナンバー（準開運招福数）に相当する曇りマーク、アンラッキーナンバー（厄難災難数）に相当する雨マークなどを記入するスペースを設けたことを特徴とする運勢カレンダー。
【請求項４】
西暦の年月日の各数字を合計した数字を個々の数字に分離すると共に各数字を合計した値を西暦判断数として上記カレンダーの各日ごとに表示した請求項１、又は請求項３記載の運勢カレンダー。
【請求項５】
元号の年度を表す数字に月と日を合算して得られる数字をカレンダーの各日ごとに表示した請求項２、又は請求項３記載の運勢カレンダー。
【請求項６】
元号の年度を表す数字に月と日を合計して得られる数字に生まれた月数と日数を加えて固有数とし、これに上記元号数字と月及び日の合計数字を加え、これを個々の数字に分離すると共に合計して元号判断数とした請求項５記載の運勢カレンダー。
【請求項７】
上記元号判断数を記入するスペースを日ごとに設けた請求項６記載の運勢カレンダー。
【考案の詳細な説明】
【技術分野】
【０００１】
本考案は解析統計万年暦に基づいて、個々の人が独自の運勢を作成することが出来るカレンダーに関するものである。
【背景技術】
【０００２】
従来から一般的な易を基にしてその日の運勢（例えば、大安、赤口、先勝、友引、先負、仏滅）を表示したカレンダーはよく知られている。
こうした表示を設けたカレンダーは、不特定多数の人々を対象としたもので、何月何日が、大安なのか仏滅なのか、又は赤口、先勝なのかを知ってその日の運勢の参考とすることが出来る。しかし、個々の人々に対する個別の占い情報ではなく、暦としての機能の一部として扱い得るものである。
【０００３】
運勢は個々の人それぞれによって異なる為に、上記のような一般的なカレンダーに表示されているその日の運勢は一般的な目安に過ぎない。
第３０４２２３８号に係る「占いカレンダー」は、自分専用のカレンダーを持ちたい、そしてカレンダーでありながら、自分の１年間を通じて、ほとんど毎日の占いや運勢を知りながら生活を楽しむことが出来る、そのような夢のあるカレンダーである。
そこで、その人の誕生日で決まる３６５日別の占いのカレンダー本体に、マグネットシートを取り付けて、占い欄を設け、さらに１ページごとにその一端にシールを入れたシールポケットを装着することが出来る。
【０００４】
特開２００６−１７５８４２号に係る「カレンダー」は、生年月日別或いは星座別に特別誂えするのではなく、不特定多数が購入できるところの通常のカレンダーでありながら、星占いの１２星座の個別の占い情報を知ることができるようにし、また、合わせて四つの血液型の人のバイオリズムについても表示できるカレンダーである。
そこで、曜日の表示をその上部に横書きに配列し、日を横書きに１週間で折り返して下方向に繰り返し配列した暦表示部を有する月別表示のカレンダーであって、前記暦表示部が、枠線で升目に構成された中に各々の日が表示されるように構成され、且つ、前記各升目の中に、占星術の１２星座を表示する表示手段と、該１２星座の持つ幸運な項目を所定の表示手段でもって表示してある。
【０００５】
このように、一般的なカレンダーでありながら、自分の１年間を通じて、ほとんど毎日の占いや運勢を知りながら生活を楽しむことが出来るカレンダーは知られている。
【特許文献１】第３０４２２３８号に係る「占いカレンダー」
【特許文献２】特開２００６−１７５８４２号に係る「カレンダー」
【考案の開示】
【考案が解決しようとする課題】
【０００６】
従来、それぞれの人に適用するように自分で作ることが出来る運勢カレンダーは存在しているが、この運勢カレンダーのベースと成る従来から周知であり多用されている占い（例えば、占星術の１２星座など）を理解することが容易でない。
本考案が解決しようとする課題はこの問題点であり、従来の占いとは異なる解析統計万年暦に基づいて、個々の人が独自の運勢を表示するカレンダーを提供する。
【課題を解決するための手段】
【０００７】
本考案に係る運勢カレンダーは解析統計万年暦に基づいて作成される。この解析統計万年暦とは、各個人に適合した数字と不適合な数字を配列して構成した暦である。この解析統計万年暦はその人が生まれた年月に基づいて統計的に構築したものであり、その人に適合した数字と不適合な数字が定められる。日常の生活で数字を使うことは多く、例えば車の登録番号、マンションの部屋番号、住所の番地など色々あるが、その人に適合した数字とする方が好ましい。
【０００８】
ところで、解析統計万年暦では各年度の月ごとに数字を配列し、使用するに適さない数字から使用するに適す数字を順次に列記した表を構成している。
そして、この列記した数字を複数段階評価で区分し、例えば３段階と成るラッキーナンバー（開運招福数）、準ラッキーナンバー（準開運招福数）、アンラッキーナンバー（厄難災難数）に分けることが出来る。勿論、より細かく区分することも可能である。
【０００９】
この解析統計万年暦に表示される暦は太陽暦でなく明治維新前まで使用されて来た旧暦（太陰暦）として表している。
ところで、本考案の運勢カレンダーには解析統計万年暦からその人が生まれた年月の数字が列記されており、この列記された数字を基にして毎日の運勢、例えば晴れ、曇り、雨などの図形で表示することが出来る。この表示は各自行うことが出来ように、カレンダーも日付け欄にはスペースが設けられている。
【００１０】
ここで、該カレンダーには西暦に基づく表示と元号に基づく表示の欄が共に設けていて、西暦と元号の両方で判断することが出来るようにしている。
西暦の場合、年、月、日を表す個々の数字を合計し、合計数を分離し、さらに個々の数字を合算し、この合算数字をカレンダーの日付け欄に表示している。例えば、２０１６年１月１日であれば、２＋０＋１＋６＋１＋１＝１１と成り、１１を分離して合算するならば、１＋１＝２となり、１月１日は（２）と成る。この数字は西暦判断数と成る。
【００１１】
元号の場合、年、月、日を表す数字を合計し、この合計数を日付け欄に表示している。例えば、平成２８年１月１日であれば、２８＋１＋１＝３０となり、１月１日は（３０）と成る。同じく、平成２８年１月２日であれば、２８＋１＋２＝３１であり、１月２日は（３１）となる。
そして、生まれた年、月、日（生年月日）の数字を合計して得られる数字を個人の固有数と定める。この固有数に生まれ年を表す数字を合計し、加えて得られた数字を個々の数字に分離すると共に、合計して元号判断数とする。
【００１２】
例えば、昭和３０年１２月２３日生まれであれば、上記固有数は３０＋１２＋２３＝６５となる。この固有数６５に１月１日であれば３０を加えた合計数９５を個々の数字に分離（９と５）し、この数字を合計した数字１４をまた個々の数字に分離すると共に合計した数字（５）が元号判断数となる。
本考案では、上記西暦判断数と元号判断数を解析統計万年暦に照らし合わせて、その日の運勢を知ることが出来、日付けに設けたスペースに晴れ、曇り、雨などと表示する。
【考案の効果】
【００１３】
本考案の運勢カレンダーは解析統計万年暦から自分が生まれた年月に列記された数字を基にして、毎日の運勢を見ることが出来る。従って、カレンダーに表示されている大衆を対象とした一般的な運勢に比較して自分なりの運勢を知ることが出来る。したがって、本考案の運勢カレンダーを基にして良い日（晴れ）、注意をする日（曇り）、悪い日（雨）が分かり、契約日、入籍日、不動産などの購入日、引っ越し日、イベント日などを定める上で大きな参考と成る。
【図面の簡単な説明】
【００１４】
【図１】解析統計万年暦を示す１具体例で、２０１６年生まれの男性及び女性の場合を示している。
【図２】本考案に係る運勢を記入するスペースを設けたカレンダーを示す具体例。
【図３】昭和３０年１２月の解析統計万年暦。
【図４】図１のカレンダーにおける１日、２日部分の拡大図。
【考案を実施するための形態】
【００１５】
図１は本考案に係る解析統計万年暦を示す具体例であり、２０１６年（平成２８年）に生まれた人の暦である。同図の（ａ）は男性用、（ｂ）は女性用であり、１月〜１２月における生まれ月ごとに数字が記載されている。ここで、表示されている月は旧暦表示であり、１月とは６日７時０８分〜２月４日１８時４６分までの時間帯を指している。同じく２月とは４日１８時４６分〜３月５日１２時４４分までの時間帯である。以下、３月、４月、５月・・・・も同暦に記載しているように定まる。
【００１６】
ところで、２０１６年１月生まれの男性の場合、３・４＜５＜６＜１＜２＜７＜８・９のように数字が列記されている。
ここで、使うことを避けたい数字は３と４であり、そして５、６，１，２の順に好ましくない。使うに適している数字は８と９であり、７も好ましい。数字の間に表示している記号「＜」を持って使用するに不適当な数字の序列を示している。すなわち、１より６が悪く、６より５が悪く、５より４が悪い。さらに３も悪い。数字の間に表示している「・」は同等を表し、３と４は同等程度に悪く、使用には適していない。
一方、１月生まれの女性の場合、３＜２・５＜６＜１＜４＜７＜８・９のように数字が列記されている。そこで３が最も悪く、その次に２，５，６・・・の順に悪くなり、８と９が最も適している。また７も好ましい。
【００１７】
また、２０１６年８月生まれの男性の場合には、数字が３・４＜７・９＜６＜１＜８＜５＜２のように列記されている。そこで、使うことを避けたい数字は最初の３と４であり、また７と９も好ましくない。これに対して使うに適している数字は最後の２が最もよく、５と８も好ましい。
８月生まれの女性の場合には、３＜７・９＜６＜１＜４＜２＜８＜５のように数字が列記されている。そこで、最初の３が最も悪く、その次に７と９も悪い。これに対して最後の５が最も適している。また２と８も好ましい。
【００１８】
この解析統計万年暦は、その人が生まれた年月に基づいて統計的に構築したものであり、その人に適合した数字と不適合な数字が定められる。日常の生活で数字を使うことは多く、例えば車の登録番号、マンションの部屋番号、住所の番地など色々あるが、その人に適合した数字とする方が好ましい。
本考案の運命カレンダーはこの解析統計万年暦を用いて、毎日の運勢を知ることが出来る。
【００１９】
図２は２０１６年１月のカレンダーを表している。この１月のカレンダーのスペースには２０１６年１月の解析統計万年暦を表記している。すなわち、２０１６年１月の男性の場合の解析統計万年暦は前記図１から３・４＜５＜６＜１＜２＜７＜８・９である。すなわち、これは自分の解析統計万年暦であり、カレンダーは共通しているが、解析統計万年暦は使う人によってそれぞれ違っている。
【００２０】
カレンダーの日付け欄にはスペースが設けられ、このスペースにその日の運勢及び運勢を決める数字を記入することが出来る。
ところで、２０１６年１月１日は、２＋０＋１＋６＋１＋１＝１１と成る。この１１は１＋１＝２となる。この（２）が西暦判断数である。
同じく、２０１６年１月２日は、２＋０＋１＋６＋１＋２＝１３と成る。この１２は１＋２＝３となり、西暦判断数は（３）である。
【００２１】
このように、２０１６年１月３日は西暦判断数は（４）と成り、２０１６年１月４日は西暦判断数が（５）と成り、図２に示すように１月のカレンダーには西暦判断数が（２）、（３）、（４）、（５）・・・のように順次表記されている。ここで、この西暦判断数（２）、（３）、（４）・・・は全てに共通する数値である。
【００２２】
ここで、昭和３０年１２月２３日生まれの女性の場合を具体例として説明する。
昭和３０年１２月の解析統計万年暦は図３に示すように、９＜３・８＜１・６＜２＜７＜４＜５である。
この解析統計万年暦を３段階と成るラッキーナンバー（開運招福数）、準ラッキーナンバー（準開運招福数）、アンラッキーナンバー（厄難災難数）に分けるなら、７，４，５はラッキーナンバー（開運招福数）、１，６，２は準ラッキーナンバー（準開運招福数）、９，３，８はアンラッキアーナンバー（厄難災難数）と成る。
【００２３】
そこで、２０１６年１月１日は西暦判断数が（２）であることで、昭和３０年１２月２３日生まれの女性の場合、準ラッキーナンバー（準開運招福数）に該当する。２０１６年１月２日は西暦判断数が（３）である為に、アンラッキーナンバー（厄難災難数）に該当する。
ラッキーナンバー（開運招福数）を晴れの太陽マーク、準ラッキーナンバー（準開運招福数）を雲マーク、アンラッキアーナンバー（厄難災難数）を雨マークで表わすならば、１月１日は曇りマーク、１月２日は雨マークを表記することが出来る。
【００２４】
このカレンダーには各日の下側には、対角線を入れた四角形枠１が形成され、１日の四角形枠１のスペース２には曇りマーク３を表示し、２日のスペース２には雨マーク４を表示することが出来る。これら曇りマーク３及び雨マーク４は手書きすることも可能であるが、それぞれのマークを表示したシールを貼り付けてもよい。図４は図１における１日、２日の拡大図を表している。
【００２５】
本考案の運勢カレンダーは西暦だけでなく、元号に基づいて判断することも出来る。元号に基づく運勢について説明すると、図１に示すカレンダーには１日の西暦（２）の下側には３０と表記され、２日の西暦（３）の下側には３１と表記され、さらに３日の西暦（４）の下側には３２と表記されている。同じく、４日、５日、６日には順次３３，３４，３５・・・と表記されている。
上記１月１日の３０は、平成２８年１月１日は２８＋１＋１＝３０、２日の３１は平成２８年１月２日は２８＋１＋２＝３１と成ることに基づいている。
この３０，３１・・・は元号判断数となり、全ての人に共通する数値である。
【００２６】
そこで、昭和３０年１２月２３日生まれの女性の場合、３０＋１２＋２３＝６５と成り、この数字はその人の固有数である。該カレンダーには３０の下側に四角形枠５が形成され、この四角形枠５のスペース６に固有数６５を記入する。
そして、この四角形枠５の下側に別の四角形枠７が設けられ、３０＋固有数６５＝９５を下側の左枠内８に９５を記入する。９５を分離して９＋５＝１４と成り、さらに１４を分離して１＋４＝５となり、下側の右枠内９に５を記入する。
この５は元号判断数と成る。
【００２７】
ところで、昭和３０年１２月の解析統計万年暦に基づくならば、上記元号判断数５はラッキーナンバー（開運招福数）に該当する。カレンダーに設けた四角形枠１の対角線の上側スペース１０には晴れの太陽マーク１１を記入することが出来る。
昭和３０年１２月２３日生まれの女性の場合、２０１６年１月１日は、西暦によると西暦判断数（２）は曇りであり、元号によると元号判断数（５）は晴れとなる。
そこで、カレンダーの対角線を入れた四角形枠１には、右下スペース２に曇りマーク３を記入し、左上スペース１０には太陽マーク１１を記入することが出来る。
したがって、２０１６年１月１日の運勢は曇りのち晴れと言うことに成り、良い日に成っていくことを意味している。
【００２８】
図１はカレンダーを示した実施例であるが、カレンダーを載せた手帳の場合も同じである。そして、スマートフォーンの画面にもカレンダーを表示して、自分の毎日の運勢を晴れ、曇り、雨で知ることが出来る。
勿論、晴れ、曇り、雨の３段階の区分ではなく、さらに細かく区分することも可能である。例えば、晴れの他に快晴、雨の他に嵐と追加して５区分とすることも出来る。
【符号の説明】
【００２９】
１  四角形枠
２  スペース
３  曇りマーク
４  雨マーク
５  四角形枠
６  スペース
７  四角形枠
８  左枠内
９  右枠内
10  スペース
11  太陽マーク
【図３】
0003203619.tif 000003
【図１】
0003203619.tif 000004
【図２】
0003203619.tif 000005
【図４】
0003203619.tif 000006